(57)【要約】【課題】通常使用時においてガス漏れを抑止でき、しかも、火災等で長時間高温に晒されてもハウジングの破損を抑制できるアキュムレータを提供する。【解決手段】一端側に液導入口５を有するハウジング２の内部にベローズ本体１１を収容する。ベローズ本体１１はハウジング２の他端側に接合される固定端１１ａ及びハウジング２の軸線方向に変位自在な自由端１１ｂを有する。ベローズ本体１１の自由端１１ｂにベローズキャップ１２を設ける。ガス室２１は、ベローズ本体１１の内面とベローズキャップ１２の内面とで囲まれて、ガスを気密に収容する。液室２２は、ベローズ本体１１の外面とハウジング２の内面とで囲まれて、液導入口５から導入される油を液密に収容する。ベローズキャップ１２の外面にシール部１３を設ける。ベローズキャップ１２にガス室２１内の圧力が所定値以上となると開くリリーフ手段としての脆弱部３０ａを設ける。【選択図】    図１
2004270763.tif 000002
【特許請求の範囲】
【請求項１】
一端側に液導入口を有するハウジングと、
このハウジングの内部に収容され、前記ハウジングの他端側に接合される固定端及びハウジングの軸線方向に変位自在な自由端を有するベローズ本体と、
このベローズ本体の自由端に設けられたベローズキャップと、
前記ベローズ本体の内面と前記ベローズキャップの内面とで囲まれて、ガスを気密に収容するガス室と、
前記ベローズ本体の外面と前記ハウジングの内面とで囲まれて、前記液導入口から導入される液体を液密に収容する液室と、
前記ベローズキャップの外面又は前記ハウジングの一端側の内面に設けられ、前記ベローズ本体が所定量伸びた状態において前記ベローズキャップと前記ハウジングの一端側の内面とを密接させることにより、前記液室に液を閉じ込めるシール部と、を具備し、
前記ベローズキャップに、前記ガス室内の圧力が所定値以上となると開くリリーフ手段を設けたことを特徴とするアキュムレータ。
【請求項２】
前記ベローズキャップは、前記ガス室側に凹むカップ部を有しており、前記リリーフ手段が前記カップ部に設けられていることを特徴とする請求項１に記載のアキュムレータ。
【請求項３】
前記リリーフ手段は、前記ガス室内の圧力が所定値以上となると破損する脆弱部であることを特徴とする請求項１に記載のアキュムレータ
【請求項４】
前記リリーフ手段は、前記ベローズキャップに設けられた孔部を塞ぎ、且つ、前記ガス室内の圧力が所定値以上となると破損する破壊栓であることを特徴とする請求項１に記載のアキュムレータ。
【請求項５】
前記リリーフ手段は、前記ガス室内の圧力が所定値以上となると開くリリーフ弁であることを特徴とする請求項１に記載のアキュムレータ。
【請求項６】
一端側に液導入口を有するハウジングと、
このハウジングの内部に収容され、前記ハウジングの他端側に接合される固定端及びハウジングの軸線方向に変位自在な自由端を有するベローズ本体と、
このベローズ本体の自由端に設けられたベローズキャップと、
前記ベローズ本体の内面と前記ベローズキャップの内面とで囲まれて、ガスを気密に収容するガス室と、
前記ベローズ本体の外面と前記ハウジングの内面とで囲まれて、前記液導入口から導入される液体を液密に収容する液室と、
前記ベローズキャップの外面又は前記ハウジングの一端側の内面に設けられ、前記ベローズ本体が所定量伸びた状態において前記ベローズキャップと前記ハウジングの一端側の内面とを密接させることにより、前記液室に液を閉じ込めるシール部と、を具備し、
前記ベローズキャップに、前記ハウジング内の温度が所定値以上となると開くリリーフ手段を設けたことを特徴とするアキュムレータ。
【請求項７】
前記リリーフ手段は、前記ベローズキャップに設けられた孔部を塞ぎ、且つ、所定の温度で溶融する溶栓であることを特徴とする請求項６に記載のアキュムレータ。
【発明の詳細な説明】
【０００１】
【発明の属する技術分野】
本発明は、例えば、各種油圧機器等のような流体の圧力を利用する設備において、圧力を蓄えたり油圧の脈動を吸収する用途等に好適なアキュムレータに関する。
【０００２】
【従来の技術】
アキュムレータとしては、従来、容器本体の内部をベローズや弾性隔膜でガス室と液室とに区画するとともに、ガス室に高圧ガスを封入してなるものが知られている。このようなアキュムレータでは、万一火災によって長時間高温に晒されると、容器本体の内部の温度上昇とともにガス室内の圧力が上昇して容器本体が破損するおそれがあった。
【０００３】
こういった火災時の容器本体の破損を抑制するために、ガス室と容器本体の外部とを連通させる排気孔に所定温度で溶融するヒューズパッキンを設けたアキュムレータが提案されている。このようにすることにより、万一、このアキュムレータが火災等で長時間高温に晒されても、所定の温度でヒューズパッキンが溶融して、ガス室内のガスを容器本体外に排出させるため、容器本体の破損を抑制することが（例えば、特許文献１参照。）。
【０００４】
【特許文献１】
実公平６−６２４１号公報（第２頁〜第４頁、図１）
【０００５】
【発明が解決しようとする課題】
ところで、特許文献１に記載の技術では、通常使用時における圧力容器の密封性がヒューズパッキンのシール性に依存することになる。しかしながら、ヒューズパッキンに完全なシール性を求めることは実質的に不可能であるので、特許文献１に記載の技術では、通常使用時における排気孔からのガス漏れを防ぐことができない。したがって、長期間アキュムレータの圧力特性を維持することが困難である。
【０００６】
この発明は、このような事情にもとづいてなされたものであり、通常使用時においてガス漏れを抑止でき、しかも、火災で長時間高温に晒されてもハウジングの破損を抑制できるアキュムレータを提供することを目的とする。
【０００７】
【課題を解決するための手段】
前記課題を解決するために、第１の観点に基づく本発明のアキュムレータは、一端側に液導入口を有するハウジングと、このハウジングの内部に収容され、前記ハウジングの他端側に接合される固定端及びハウジングの軸線方向に変位自在な自由端を有するベローズ本体と、このベローズ本体の自由端に設けられたベローズキャップと、前記ベローズ本体の内面と前記ベローズキャップの内面とで囲まれて、ガスを気密に収容するガス室と、前記ベローズ本体の外面と前記ハウジングの内面とで囲まれて、前記液導入口から導入される液体を液密に収容する液室と、前記ベローズキャップの外面又は前記ハウジングの一端側の内面に設けられ、前記ベローズ本体が所定量伸びた状態において前記ベローズキャップと前記ハウジングの一端側の内面とを密接させることにより、前記液室に液を閉じ込めるシール部と、を具備しており、前記ベローズキャップに、前記ガス室内の圧力が所定値以上となると開くリリーフ手段を設けたことを特徴としている。
【０００８】
このアキュムレータによれば、ガス室内の圧力が所定値以上となると、リリーフ手段が開き、ガス室内のガスが液室を介して液導入口に流入するので、ガス室内の圧力が過度に上昇して起こるハウジングの破損が抑制される。しかも、ガス室内の圧力が所定値を下回る通常使用時には、リリーフ手段は閉じているので、ガス室からガスが漏れない。
【０００９】
第２の観点に基づく本発明のアキュムレータは、ベローズキャップに、ハウジング内の温度が所定値以上となると開くリリーフ手段を設けたことを特徴としている。
【００１０】
このアキュムレータによれば、ハウジング内の温度が所定値以上となると、リリーフ手段が開き、ガス室内のガスが液室を介して液導入口に流入するので、ガス室内の圧力が過度に上昇して起こるハウジングの破損が抑制される。しかも、ハウジング内の温度が所定値を下回る通常使用時には、リリーフ手段は閉じているので、ガス室からガスが漏れない。
【００１１】
【発明の実施の形態】
以下、図１を参照して本発明の第１の実施形態を説明する。
【００１２】
この実施形態のアキュムレータ１は、例えば、油圧機器に発生する油圧脈動を吸収したり圧力を蓄えるために使用される。
【００１３】
アキュムレータ１のハウジング２は、シェル３とボトムシェル４とを備えている。シェル３は、鍛造等によって有底円筒状に形成されている。ハウジング２の一端側となるシェル３の底部３ａには液導入口５が設けられている。
【００１４】
金属製のボトムシェル４は、シェル３の外径と略同径の円板状に形成されている。このボトムシェル４の一端面（図１において下面）には、シェル３の内部に嵌合する凸部６が一体に突設されている。ボトムシェル４は、ハウジング２の他端側となるシェル３の開口３ｂに凸部６を嵌合させた状態で溶接によりシェル３に固定されている。
【００１５】
ボトムシェル４にはガス供給口７が設けられている。ガス供給口７は、例えば溶接栓等のシール材を備えたガス封入栓８によって塞がれている。ハウジング２は、このアキュムレータ１に作用する油圧機器等の使用圧力に耐えられる剛性を持っている。
【００１６】
ハウジング２の内部には仕切り部材１０が設けられており、この仕切り部材１０によってハウジング２の内部がガス室２１と液室２２とに仕切られている。仕切り部材１０は、ハウジング２の軸線方向に伸縮自在なベローズ本体１１と、金属製のベローズキャップ１２と、シール部１３を備えている。
【００１７】
ベローズ本体１１としては、例えばステンレス鋼からなる金属ベローズを用いることができる。ベローズ本体１１は、ボトムシェル４の凸部６の先端面６ａに全周にわたって溶接等により気密且つ液密に接合される固定端１１ａと、ハウジング２の軸線方向に変位自在な自由端１１ｂとを有している。
【００１８】
ベローズキャップ１２は、ボトムシェル４側に凹むカップ部１４と、このカップ部１４の周縁から外側に向けて水平方向に張り出す縁部１５とを有している。カップ部１４と縁部１５とは一体に形成されている。なお、カップ部１４と縁部１５とは別体に形成して接合させてもよい。
【００１９】
ベローズ本体１１の自由端１１ｂは、ベローズキャップ１２の縁部１５の内面（図において上面）に溶接等により全周にわたって気密且つ液密に接合されている。また、ベローズキャップ１２には、ベローズ本体１１の伸縮移動をガイドするガイド部１６がその周縁に沿って取り付けられている。このガイド部１６は、ボトムシェル４側が内側に曲がった形状に成形されている。
【００２０】
このアキュムレータ１では、ベローズ本体１１の内面とベローズキャップ１２の内面とボトムシェル４の凸部６の先端面６ａとで気密に囲まれた領域がガス室２１として使われる。ガス室２１には、窒素或いはヘリウム等の不活性ガスが大気圧よりも高い圧力で封入されているとともに、ガス室２１の体積を調整するための体積調整液２３（例えば、グリコールエーテル）が封入されている。ガス供給口７は、不活性ガス及び体積調整液２３を供給した後にガス封入栓８によって気密に塞がれる。一方、ベローズ本体１１の外面とハウジング２の内面との間は液室２２として使われる。また、カップ部１４で囲まれる領域は液室２２となる。液室２２には、液導入口５を通じて油が導入される。
【００２１】
ベローズキャップ１２の縁部１５の外面（図において下面）には、リング状のシール部１３が設けられている。シール部１３は、ＮＢＲ、ＳＢＲ、ＥＰＤＭ、またはウレタンエラストマ等のゴム状弾性体により形成されている。なお、図１では、シール部１３として断面略台形状のシール部材を用いているが、シール部１３としては断面略Ｖ字状のシール部材を用いることもできる。
【００２２】
このアキュムレータ１では、ガス室２１にガスが供給される際にガス圧によって仕切り部材１０が伸長すると、シール部１３がベローズキャップ１２の縁部１５の外面とハウジング２の一端側の内面とを密接させて、ベローズ本体１１の外面とシェル３の内面との間にバックアップ用の油を閉じ込めるようになっている。図１は、ベローズ本体１１の外面とシェル３の内面との間にバックアップ用の油が閉じ込められた状態で、このアキュムレータ１を示している。
【００２３】
すなわち、ベローズキャップ１２、シール部１３、及びシェル３の底部３ａの内面等によって自己シール機構が構成されている。この自己シール機構により、液室２２の圧力が低下しても、液室２２内の圧力とガス室２１内の圧力が同じ圧力で保たれ、液室２２内の圧力がガス室２１内の圧力を下回らない。したがって、ベローズ本体１１は、過度な差圧に晒されることなく保護される。なお、シール部１３は、ハウジング２の一端側であるシェル３の底部３ａの内面に設けてもよい。その場合、シール部１３は、底部３ａの内面のベローズキャップ１２の縁部１５と対応する位置に設けておけばよい。
【００２４】
さらに、ベローズキャップ１２には、ガス室２１内の圧力が所定値以上となると開くリリーフ手段が設けられている。この実施形態では、ガス室２１内の圧力が所定値以上となると破損するリリーフ手段としての脆弱部３０ａを、カップ部１４の周壁の一部に設けている。脆弱部３０ａは、カップ部１４の他の領域よりも薄肉に形成されている。このような脆弱部３０ａは、例えば、カップ部１４の一部にミーリング加工等の機械加工を施すことで実現できる。
【００２５】
脆弱部３０ａの肉厚は、ガス室２１内の圧力が所定値以上となると破損するように設定すればよく、カップ部１４をなす材料の耐圧強度或いはガス室２１内のガスの封入圧力等を考慮して決定すると良い。
【００２６】
なお、シール部１３が設けられているベローズキャップ１２の縁部１５は、その肉厚をカップ部１４（脆弱部３０ａを除く）の肉厚と同程度或いはそれよりも厚くする等して、通常使用時において自己シール機能に発揮させることができる程度の強度を持たせおくのが好ましい。この実施形態では、縁部１５の肉厚をカップ部１４（脆弱部３０ａを除く）の肉厚と同程度に形成している。
【００２７】
このアキュムレータ１は、ガス室２１内の圧力が所定値を下回る通常使用時には、脆弱部３０ａは破壊されることなくガス室２１と液室２２とを気密且つ液密に区画している。つまり、ガス室２１はベローズ本体１１の内面とベローズキャップ１２の内面とボトムシェル４の凸部６の先端面６ａとで気密に囲まれているため、ガス室２１からガスが漏れることはない。
【００２８】
一方、ガス室２１内の圧力が所定値以上となったときには、脆弱部３０ａが破壊され、ガス室２１内のガスが液室２２を介して液導入口５に流入する。これにより、ガス室２１内のガスを液導入口５に逃すようになる。
【００２９】
以上のように、このアキュムレータ１によれば、通常使用時においては、ガス室２１はベローズ本体１１の内面とベローズキャップ１２の内面とボトムシェル４の凸部６の先端面６ａとで気密に囲まれている。つまり、ガス室２１からのガス漏れが抑止されているので、長期間にわたってアキュムレータ１の圧力特性を維持することができる。
【００３０】
しかも、一方、ガス室２１内の圧力が所定値以上となったときには、リリーフ手段としての脆弱部３０ａが破壊されて開く。したがって、０リング等のシール部材を使用せずに、シェル３とボトムシェル４とを溶接により接合するようなハウジングを有する本実施形態のようなアキュムレータ１であっても、ガス室２１内の圧力が過度に上昇して起こるハウジング２の破損を抑制できる。
【００３１】
さらに、リリーフ手段としての脆弱部３０ａをベローズキャップ１２のカップ部１４に設けているため、ガス室２１内の圧力が所定値を下回る通常使用時においては、周縁から外側に向けて水平方向に張り出す縁部１５によって自己シール機能を保持させることができ、ガス室２１内の圧力が所定値以上となったときには、カップ部１４に設けられた脆弱部３０ａにリリーフ機能を持たせることができる。
【００３２】
また、リリーフ手段を、ガス室２１内の圧力が所定値以上となると破損する脆弱部３０ａとしているので、簡単な構成で且つ安価にリリーフ手段を実現できる。
【００３３】
なお、脆弱部３０ａは、上記のように、肉厚を薄くすることで実現させてもよいが、カップ部１４の全部或いは一部を、ガス室２１内の圧力が所定値以上となったときに破壊されるような低強度・低剛性の材料で形成することで実現させてもよい。
【００３４】
以下、図２を参照して本発明の第２の実施形態を説明する。
【００３５】
この実施形態のアキュムレータ１では、ベローズキャップ１２のカップ部１４の周壁の全周にわたる環状溝からなる脆弱部３０ｂを備えている。なお、他の構成は、図示しない部分を含めて上述した第１の実施形態と同じであるから、重複する説明は図に同符号を付して省略する。リリーフ手段を上述のように環状溝からなる脆弱部３０ｂとしても、第１の実施形態と同様の効果が得られる。
【００３６】
以下、図３を参照して本発明の第３の実施形態を説明する。
【００３７】
この実施形態のアキュムレータ１では、カップ部１４の周壁および先端壁の全部の肉厚を縁部１５の肉厚と比べて薄く形成することでカップ部１４の全体を脆弱部３０ｃとしている。なお、他の構成は、図示しない部分を含めて上述した第１の実施形態と同じであるから、重複する説明は図に同符号を付して省略する。
【００３８】
リリーフ手段を上述のような脆弱部３０ｃとしても、第１の実施形態と同様の効果が得られる。
【００３９】
なお、図示していないが、カップ部１４の先端壁の一部または全部の肉厚を縁部１５の肉厚と比べて薄く形成して脆弱部としてもよく、また、カップ部１４の先端壁に第１の実施形態で示した脆弱部３０ａのような脆弱部を設けてもよい。すなわち、脆弱部は、カップ部１４の所望の一部または全部の肉厚を縁部１５の肉厚と比べて薄くすることで形成できる。
【００４０】
以下、図４を参照して本発明の４実施形態を説明する。
【００４１】
この実施形態のアキュムレータ１では、カップ部１４の開放端を閉塞させて、その一部に液室２２と連通する連通口１８を設けるようにしている。なお、他の構成は、図示しない部分を含めて上述した第１の実施形態と同じであるから、重複する説明は図に同符号を付して省略する。
【００４２】
この実施形態では、第１の実施形態と同様の効果が得られる。しかも、連通口１８の大きさを調整することで、特定の周波数に合わせた脈動吸収効果を得ることができる。
【００４３】
なお、図４では、リリーフ手段をカップ部１４の周壁の一部に第１の実施形態で示した脆弱部３０ａとしているが、リリーフ手段の位置、形状、或いは種類によらず、カップ部１４の開放端を閉塞させて、その一部に液室２２と連通する連通口１８を設けることで脈動吸収効果を得ることができる。また、連通口１８の大きさを調整することで特定の周波数に合わせた脈動吸収効果を得ることができる。
【００４４】
以下、図５を参照して本発明の第５の実施形態を説明する。
【００４５】
この実施形態のアキュムレータ１では、ベローズキャップ１２のカップ部１４の周壁の一部に、ガス室２１と液室２２とを連通させる孔部１７が形成されているとともに、この孔部１７に、ガス室２１内の圧力が所定値以上となると開くリリーフ手段としてのリリーフ弁３１が設けられている。
【００４６】
このようなリリーフ弁３１は、例えば、コイルばね３１ａと球体３１ｂとにより構成することができる。コイルばね３１ａは孔部１７に挿入されている。コイルばね３１ａの液室２２側の一端部はカップ部１４に固定されて固定端となっている。コイルばね３１ａの他端部である自由端には球体３１ｂに固定されている。球体３１ｂは、孔部１７に嵌ってこの孔部１７を気密且つ液密に塞ぐように、その材質及び大きさが決定されている。この球体３１ｂは、カップ部１４の外側、すなわち、ガス室２１側に露出している。また、このリリーフ弁３１は、ガス室２１内の圧力が所定値以上となったときにコイルばね３１ａが伸縮するように、球体３１ｂの重さやコイルばね３１ａのばね定数等が設定されている。なお、他の構成は、図示しない部分を含めて上述した第１の実施形態と同じであるから、重複する説明は図に同符号を付して省略する。
【００４７】
このアキュムレータ１によれば、ガス室２１内の圧力が所定値を下回る通常使用時には、リリーフ弁３１の球体３１ｂがカップ部１４の孔部１７を閉塞して、ガス室２１と液室２２とを気密且つ液密に区画している。つまり、ガス室２１はベローズ本体１１の内面とベローズキャップ１２の内面とボトムシェル４の凸部６の先端面６ａとで気密に囲まれているため、ガス室２１からガスが漏れることはない。一方、ガス室２１内の圧力が所定値以上となったときには、ガス室２１内のガスが球体３１ｂをカップ部１４の内側に押して孔部１７を開口させるので、ガス室２１内のガスは、この孔部１７を通過し、液室２２を介して液導入口５に流入する。そのため、ガス室２１内の圧力を過度に上昇させることがない。したがって、このアキュムレータ１によれば、第１の実施形態と同様の効果が得られる。
【００４８】
以下、図６を参照して本発明の第６の実施形態を説明する。
【００４９】
この実施形態のアキュムレータ１では、ベローズキャップ１２のカップ部１４が省略されている。すなわち、ベローズキャップ１２は円板状に形成されている。そして、このベローズキャップ１２の内面（ガス室２１側の面、図５において上面）には、その略中心部分に位置して、リリーフ手段としての脆弱部３２が形成されている。この脆弱部３２は、例えば、機械加工等により、ベローズキャップ１２を湾曲面状に凹ませることで形成することができる。
【００５０】
シール部１３は、脆弱部３２に対応する領域を避け、この脆弱部３２に対応する領域を囲むようにして、ベローズキャップ１２の外面に設けるのが好ましい。これは、通常使用時において自己シール機能に発揮させることができる程度の強度を有する部分にシール部１３を設ける必要があるためである。なお、シール部１３をハウジング２の一端側の内面に設ける際も、ベローズキャップ１２の脆弱部３２に対応する領域を避け、ベローズキャップ１２の周囲に対応する領域に設けるのが好ましい。
【００５１】
なお、他の構成は、図示しない部分を含めて上述した第１の実施形態と同じであるから、重複する説明は図に同符号を付して省略する。このアキュムレータ１によれば、第１の実施形態と同様の効果が得られる。
【００５２】
以下、図７を参照して本発明の第７の実施形態を説明する。
【００５３】
この実施形態のアキュムレータ１では、ベローズキャップ１２のカップ部１４の周壁の一部に、ガス室２１と液室２２とを連通するように孔部１７が開けられているとともに、この孔部１７に、ハウジング２内の温度が所定値以上となると開くリリーフ手段が設けられている。このようなリリーフ手段としては、例えば所定の温度で融解する溶栓３３を用いることができる。この溶栓３３は、孔部１７を塞ぐように設けられている。溶栓３３は、所定の温度で溶解するものであればよく、金属や樹脂等で形成することができる。
【００５４】
なお、溶栓３３を設ける位置は、カップ部１４の周壁に限定されない。溶栓３３は、カップ部１４の先端壁に設けてもよい。さらに、溶栓３３は１つであっても複数設けてもよい。他の構成は、図示しない部分を含めて上述した第１の実施形態と同じであるから、重複する説明は図に同符号を付して省略する。
【００５５】
このアキュムレータ１によれば、ガス室２１内の温度が所定値を下回る通常使用時には、溶栓３３がカップ部１４の孔部１７を閉塞して、ガス室２１と液室２２とを気密且つ液密に区画している。つまり、ガス室２１はベローズ本体１１の内面とベローズキャップ１２の内面とボトムシェル４の凸部６の先端面６ａとで気密に囲まれているため、ガス室２１からガスが漏れることはない。
【００５６】
一方、ガス室２１内の温度が所定値以上となったときには、溶栓３３が溶融してカップ部１４の孔部１７を開口させるので、ガス室２１内のガスは、この孔部１７を通過し、液室２２を介して液導入口５に流入する。そのため、ガス室２１内の圧力を過度に上昇させることがない。
【００５７】
したがって、このアキュムレータ１によれば、通常使用時においてガス漏れを抑止でき、しかも、火災で長時間高温に晒されてもハウジング２の破損を抑制できる。
【００５８】
なお、溶栓３３と置換して、ガス室２１内の圧力が所定値以上となると破損する破壊栓を設けてもよい。その場合、破壊栓を設ける位置は、カップ部１４の周壁に限定されない。破壊栓は、カップの先端壁に設けてもよい。さらに破壊栓は１つであっても複数であってもよい。また、破壊栓は、ガス室２１内の圧力が所定値以上となると破損するものであればよく、例えば樹脂等で形成することができる。
【００５９】
【発明の効果】
以上のように、この発明によれは、通常使用時においてガス漏れを抑止でき、しかも、火災等で長時間高温に晒されてもハウジングの破損を抑制できるアキュムレータが得られる。
【図面の簡単な説明】
【図１】本発明の第１の実施形態に係るアキュムレータを示す断面図。
【図２】本発明の第２の実施形態に係るアキュムレータが備えるベローズキャップを一部断面して示す側面図。
【図３】本発明の第３の実施形態に係るアキュムレータが備えるベローズキャップを示す断面図。
【図４】本発明の第４の実施形態に係るアキュムレータが備えるベローズキャップを示す断面図。
【図５】本発明の第５の実施形態に係るアキュムレータが備えるベローズキャップを示す断面図。
【図６】本発明の第６の実施形態に係るアキュムレータの一部を示す断面図。
【図７】本発明の第７の実施形態に係るアキュムレータが備えるベローズキャップを示す断面図。
【符号の説明】
１…アキュムレータ、２…ハウジング、５…液導入口、１１…ベローズ本体、１１ａ…固定端、１１ｂ…自由端、１２…ベローズキャップ、１３…シール部、１４…カップ部、２１…ガス室、２２…液室、３０ａ〜３０ｃ，３２…脆弱部（リリーフ手段）、３１…リリーフ弁（リリーフ手段）、３３…溶栓（リリーフ手段）
【図１】
2004270763.tif 000003
【図２】
2004270763.tif 000004
【図３】
2004270763.tif 000005
【図４】
2004270763.tif 000006
【図５】
2004270763.tif 000007
【図６】
2004270763.tif 000008
【図７】
2004270763.tif 000009